(57)【特許請求の範囲】
【請求項１】
リード線を相互接続する端子台を一列に複数連結してなる連結端子台の端部に連結され、連結端子台を固定する固定具であって、
連結端子台を連結方向に貫通するシャフトの先端部を挿入するシャフト挿入路が形成された固定具本体と、該固定具本体に保持されて、少なくとも一方の端部をシャフト挿入路に突出させる係止端部とする板バネとを備えてなり、
シャフトの先端で係止端部をシャフト挿入路から押し退けるようにシャフトをシャフト挿入路に圧入すると、シャフトに押圧されて撓んだ係止端部がシャフトの外周面に弾接して、シャフト挿入路からシャフトを引き抜き困難となるよう構成されていることを特徴とする固定具。
【請求項２】
固定具本体は、係止端部の上方に開口する係止解除穴を備え、
棒状の工具を係止解除穴から挿入して、該工具の先端で係止端部をシャフトの外周面から離間する方向に撓ませ得るよう構成されていることを特徴とする請求項１に記載の固定具。
【請求項３】
シャフトが左右両側に一本ずつ貫通する連結端子台の端部に連結されるものであって、
シャフト挿入路は、連結端子台の左右を貫通する各シャフトの先端部を夫々挿通させ得るように、固定具本体の左右に一つずつ形成されており、
前記板バネは、固定具本体の二つのシャフト挿入路の間に保持されて、一方の端部を一方のシャフト挿入路に突出させる係止端部とし、他方の端部を他方のシャフト挿入路に突出させる係止端部としていることを特徴とする請求項１又は請求項２に記載の固定具。
【請求項４】
前記板バネは、シャフトの挿入方向と鋭角となるように係止端部をシャフト挿入路に突出させており、
シャフトをシャフト挿入路に圧入したときに、係止端部が、先端をシャフトの外周面に食い込ませるように弾接することを特徴とする請求項１乃至請求項３のいずれか１項に記載の固定具。
【請求項５】
リード線を相互接続する端子台を一列に複数連結してなる連結端子台と、
該連結端子台の端部に連結される請求項１乃至請求項４のいずれか１項に記載の固定具と、
連結端子台を連結方向に貫通して先端を固定具に引き抜き困難に係止されるシャフトと
を備えることを特徴とする集合端子台装置。
【発明の詳細な説明】
【技術分野】
【０００１】
本発明は、集合端子台装置に配設されて、集合端子台装置を配電盤や配電箱等に固定する固定具に関する。
【背景技術】
【０００２】
配電盤や配電箱等に配設されて、多数のリード線を所要の組合せで相互接続する集合端子台装置が知られている。集合端子台装置は、リード線を相互接続可能な板状の端子台を厚み方向に一列に連結してなる連結端子台を本体とし、連結端子台の両端部には、連結端子台を対象物に固定する固定具が配設される。ここで、集合端子台装置には、固定具によって据付レール上に固定した状態で、配電盤や配電箱等に設置するタイプ（例えば、特許文献１）と、固定具を介して配電盤や配電箱等に直接固定するタイプ（例えば、特許文献２）とがある。
【０００３】
上記特許文献２に記載の集合端子台装置のように、固定具を介して配電盤や配電箱等に直接固定するタイプ（以下、直接固定タイプという。）には、配電盤や配電箱等に固定する前に、端子台や固定具の連結が外れないように連結状態を保持する保持構造が設けられている。例えば、図１１に示す従来の集合端子台装置１ａのように、連結端子台３ａの連結方向（端子台６ａの厚み方向）に金属のシャフト７を貫通させて、シャフト７の両端部をネジ８の先端で上方から押圧して固定具４ａ，４ａに係止することにより、相互連結された複数の端子台６ａと、両端部の固定具４ａとを分離不能に保持する構成が知られている。また、図１２に示す従来の集合端子台装置１ｂのように、先端にネジ山が形成されたロングシャフトネジ９ａを集合端子台装置１ｂの連結方向に貫通させて、ロングシャフトネジ９ａの先端にナット９ｂを締結することで、相互連結された複数の端子台６ｂと、両端部の固定具４ｂとを締結して一体的に保持する構成も知られている。
【先行技術文献】
【特許文献】
【０００４】
【特許文献１】特開２００７−２６９９１号公報
【特許文献２】特開２００９−１３９０９４号公報
【発明の概要】
【発明が解決しようとする課題】
【０００５】
図１１に示した従来構成では、シャフト７の先端部を固定具４ａに係止する際に、ネジ８を締結する作業が必要である。また、固定具４ａは、シャフト７の先端部を挿入する固定具本体３０ａと、シャフト７を係止するためのネジ８と、ネジ８を螺着するために固定具本体３０ａに埋設されるナット（図示省略）との、少なくとも三つの部品が必要である。
【０００６】
一方、図１２に示した従来構成では、ロングシャフトネジ９ａとナット９ｂを締結する作業が必要である。また、ロングシャフトネジ９ａを使用する場合は、ネジ山のないシャフト７を使用する場合に比べてコスト高になる。特に、シャフト７やロングシャフトネジ９ａは、連結端子台３ｂを構成する端子台６ｂの数によって、様々な長さのものを用意する必要があるが、金属棒を切断するだけで長さ調節が可能なシャフト７に比べて、端部にネジ山とネジ頭が形成されるロングシャフトネジ９ａは、様々な長さのものを用意する負担が大きい。
【０００７】
本発明は、かかる現状に鑑みてなされたものであり、直接固定タイプの集合端子台装置にあって、簡単な手順で、かつ簡易な構成によって、端子台や固定具の連結状態を保持可能な固定具、及び集合端子台装置の提供を目的とする。
【課題を解決するための手段】
【０００８】
本発明は、リード線を相互接続する端子台を一列に複数連結してなる連結端子台の端部に連結され、連結端子台を固定する固定具であって、連結端子台を連結方向に貫通するシャフトの先端部を挿入するシャフト挿入路が形成された固定具本体と、該固定具本体に保持されて、少なくとも一方の端部をシャフト挿入路に突出させる係止端部とする板バネとを備えてなり、シャフトの先端で係止端部をシャフト挿入路から押し退けるようにシャフトをシャフト挿入路に圧入すると、シャフトに押圧されて撓んだ係止端部がシャフトの外周面に弾接して、シャフト挿入路からシャフトを引き抜き困難となるよう構成されていることを特徴とする固定具である。
【０００９】
かかる構成にあっては、シャフトの先端部をシャフト挿入路に圧入するだけで、シャフトの先端部が固定具に係止される。したがって、本発明の固定具を用いれば、ネジやナットを締めることなく、端子台や固定具の連結状態を簡単に保持することが可能となる。また、本発明の固定具は、固定具本体と板バネの二つの部品で端子台や固定具の連結状態を保持することができ、また、ロングシャフトネジを使用しないため、従来構成に比べて、簡易な構成によって、端子台や固定具の連結状態を保持できる。
【００１０】
本発明にあって、固定具本体は、係止端部の上方に開口する係止解除穴を備え、棒状の工具を係止解除穴から挿入して、該工具の先端で係止端部をシャフトの外周面から離間する方向に撓ませ得るよう構成されていることが提案される。
【００１１】
かかる構成にあっては、固定具の上方から係止解除穴に工具を挿入して、シャフトに弾接する係止端部をシャフトから引き離すことができるため、必要に応じて、シャフト挿入路に係止したシャフトを簡単に引き抜くことが可能となる。
【００１２】
また、本発明にあって、シャフトが左右両側に一本ずつ貫通する連結端子台の端部に連結されるものであって、シャフト挿入路は、連結端子台の左右を貫通する各シャフトの先端部を夫々挿通させ得るように、固定具本体の左右に一つずつ形成されており、前記板バネは、固定具本体の二つのシャフト挿入路の間に保持されて、一方の端部を一方のシャフト挿入路に突出させる係止端部とし、他方の端部を他方のシャフト挿入路に突出させる係止端部としていることが提案される。
【００１３】
かかる構成にあっては、板バネの両端部を係止端部とすることにより、二本のシャフトの先端部を一枚の板バネで係止可能となる。したがって、かかる構成によれば、固定具の部品点数を増やすことなく、二本のシャフトで、端子台や固定具の連結を一層強固に保持可能となる。
【００１４】
また、本発明にあって、前記板バネは、シャフトの挿入方向と鋭角となるように係止端部をシャフト挿入路に突出させており、シャフトをシャフト挿入路に圧入したときに、係止端部が、先端をシャフトの外周面に食い込ませるように弾接することが提案される。
【００１５】
かかる構成にあっては、シャフトをシャフト挿入路に圧入するときには、係止端部を比較的容易に撓ませることができ、また、係止端部をシャフトの外周面に弾接させた状態では、シャフトを固定具に強固に係止できる。
【００１６】
また、本発明の別の態様は、リード線を相互接続する端子台を一列に複数連結してなる連結端子台と、該連結端子台の端部に連結される請求項１乃至請求項４のいずれか１項に記載の固定具と、連結端子台を連結方向に貫通して先端を固定具に引き抜き困難に係止されるシャフトとを備えることを特徴とする集合端子台装置である。
【００１７】
かかる集合端子台装置は、上記固定具を備えたものであるから、簡単な手順で、かつ簡易な構成によって、端子台や固定具の連結状態を保持することができる。
【発明の効果】
【００１８】
以上に述べたように、本発明によれば、直接固定タイプの集合端子台装置にあって、簡単な手順で、かつ簡易な構成によって、端子台や固定具の連結状態を保持することが可能となる。
【図面の簡単な説明】
【００１９】
【図１】集合端子台装置１の斜視図である。
【図２】集合端子台装置１の分解斜視図である。
【図３】集合端子台装置１の固定方法を示す斜視図である。
【図４】端子台６の正面図である。
【図５】固定具４の正面側上方からの斜視図である。
【図６】固定具４の背面側下方からの斜視図である。
【図７】固定具４の背面図である。
【図８】固定具４の（ａ）平面図と、（ｂ）底面図と、（ｃ）図７中のＡ−Ａ線断面図である。
【図９】固定具４によるシャフト７の係止態様を示す説明図である。
【図１０】シャフト７の係止解除方法を示す説明図である。
【図１１】従来の集合端子台装置１ａの斜視図である。
【図１２】別の従来の集合端子台装置１ｂの斜視図である。
【発明を実施するための形態】
【００２０】
本発明の実施形態を、以下の実施例に従って説明する。
【００２１】
本実施例の集合端子台装置１は、図１，２に示すように、板状の端子台６を一列に連結してなる連結端子台３と、該連結端子台３の両端部に配設されて、連結端子台３を配電盤や配電箱等に固定する固定具４，４とを備えてなる。また、集合端子台装置１には、連結端子台３と固定具４との間に、樹脂製の板状スペーサ５が介装され、さらに、２本のシャフト７，７が連結端子台３とスペーサ５とを連結端子台３の連結方向に貫通するように配設される。かかる集合端子台装置１は、図３に示すように、両端部の固定具４，４を、配電盤や配電箱等に設けられる台座Ｇに固定用ネジＨで止めることによって、配電盤や配電箱等に直接固定される。
【００２２】
連結端子台３を構成する複数の端子台６は、全て同じものであり、連結端子台３は、用途に応じた数の端子台６を厚み方向に連結することによって構成される。これらの端子台６は、図２，４に示すように、リード線の端部をネジで挟み付けて保持するネジ式端子台である。具体的には、端子台６は、ポリアミド等の絶縁性樹脂材料によって板状に形成された左右対称の絶縁性基板１０を主体部とする。絶縁性基板１０は、背板１１から所定肉厚の画成壁１２を突出させることにより、正面側に開放する装着溝部１３などを形成してなるものであり、その正面側と背面側には、隣接する端子台６やスペーサ５と嵌合して相互連結するための凹凸部１４が形成される。また、絶縁性基板１０の下部には、貫通孔１５，１５が左右対称位置に形成される。この貫通孔１５は、連結端子台３を構成した時に連結端子台３の連結方向に連続して、連結端子台３の左右両側にシャフト７を挿通するシャフト挿通孔１６を形成するものである。
【００２３】
絶縁性基板１０の装着溝部１３には、導電金具１７が装着される。導電金具１７の両側にはリード線を接続するための平板状の接続辺部１８，１８が形成され、各接続辺部１８には、取付ネジ２０が挿通装着された可動座金部材１９が昇降移動可能に保持される。かかる端子台６では、リード線の端部の圧着端子を可動座金部材１９と接続辺部１８の間に挿入した状態で、取付ネジ２０を接続辺部１８に螺着して、可動座金部材１９と接続辺部１８の間に圧着端子を脱落不能に挟持することで、リード線を接続辺部１８に接続する。なお、かかるリード線の接続方法は公知であるため、詳細な説明は省略する。
【００２４】
スペーサ５は、図２に示すように、絶縁性の樹脂製板材からなるものであり、連結端子台３の両端部に同じものが連結される。スペーサ５の両面には、端子台６及び固定具４と嵌合可能な凹凸部２２が形成されており、スペーサ５は、端子台６と固定具４の間に介装されて両者を連結するとともに、連結端子台３の端部で、端子台６の装着溝部１３を被覆する。また、スペーサ５の下部には、端子台６と連結した時に、端子台６の貫通孔１５と重なってシャフト挿通孔１６を形成する貫通孔２３が形成される。
【００２５】
シャフト７は、図２に示すように、スチールやアルミニウム等からなる断面円形の金属棒であり、図１１に示す従来構成で使用するものと同じものを用いることができる。このシャフト７は、連結端子台３のシャフト挿通孔１６の径よりわずかに細径で、集合端子台装置１の長さと略同じ長さをなしており、連結端子台３の左右に形成されるシャフト挿通孔１６を１本ずつ貫通している。
【００２６】
固定具４は、図５〜８に示すように、ポリアミド等の絶縁性樹脂材料からなる固定具本体３０と、該固定具本体３０の内部に保持された板バネ３１とで構成される。なお、以下では、連結端子台３と連結する側を固定具４の背面側とし、その反対側を固定具４の正面側として説明する。固定具４は、左右対称形状をなしており、また、連結端子台３の両端部に同じものが連結される。固定具本体３０は、板状をなす連結板部３２と、該連結板部３２の下部から正面側に突出する固定部３３とからなる。連結板部３２は、スペーサ５と連結するためのものであり、図６，７に示すように、スペーサ５に被着することとなる背面側には、スペーサ５に形成された凹凸部２２と嵌合する凹凸部３５が形成される。一方、固定部３３には、上下方向のネジ挿通孔３６が貫設される。かかるネジ挿通孔３６には、図３に示すように、配電盤や配電箱等の台座Ｇに集合端子台装置１を固定するための固定用ネジＨが挿通される。
【００２７】
固定具本体３０の下部両側には、図６〜８に示すように、前後方向のシャフト挿入路３７が形成される。このシャフト挿入路３７は、固定具本体３０の背面側に開口しており、連結端子台３と連結した状態で、シャフト挿通孔１６と一直線状となり、シャフト挿通孔１６を貫通するシャフト７の先端部がシャフト挿入路３７に挿入されるよう構成される。また、固定具本体３０の、シャフト挿入路３７の正面側にあたる部分には、シャフト７より細径な突当て部３８が形成されており、該突当て部３８により、シャフト７を固定具本体３０の正面側に突出させないよう構成されている。
【００２８】
板バネ３１は、図５〜８に示すように、バネ鋼からなる細長薄片を、両端部がハ字状となるよう屈曲させてなるものであり、その中央部を固定部３３に保持される保持板部４０とし、ハ字状となった両端部を、シャフト７を係止する係止端部４１，４１としている。なお、本実施例では、係止端部４１をシャフト７の外周面に弾接させたときに、係止端部４１の先端がシャフト７に食い込みやすいように、板バネ３１をシャフト７よりも硬い材質で構成している。
【００２９】
板バネ３１は、図５〜８に示すように、固定部３３の底部に開口する板バネ挿入口４３から挿入されて、固定具本体３０の内部で、シャフト挿入路３７と同じ高さ位置に保持される。具体的には、図８（ｃ）に示すように、板バネ挿入口４３から挿入された板バネ３１は、固定具本体３０の下部中央に形成された保持溝４５に保持板部４０を保持される。保持溝４５は左右に延びる前後に薄幅な溝孔であり、その前後から突出する保持突部４６，４６により、保持板部４０を前後に挟持している。また、保持溝４５の中央部には、上方に開口する嵌入孔４７が形成されており、保持板部４０の中央から上下に突出する突部４８を嵌入孔４７に嵌入することで、板バネ３１を左右方向に位置決めしている。
【００３０】
保持溝４５の両側には、図８（ｃ）に示すように、可撓空隙５０，５０が形成されており、保持溝４５に保持された板バネ３１は、係止端部４１を両側の可撓空隙５０の内部で撓ませ得るよう構成されている。可撓空隙５０は、平面視矩形状をなしており、その外側部分がシャフト挿入路３７を含むよう構成されている。すなわち、本実施例では、可撓空隙５０の外側部分が、シャフト７を挿入するシャフト挿入路３７を形成している。そして、係止端部４１は、可撓空隙５０の内部で、外側正面方向に延出しており、係止端部４１の先端をシャフト挿入路３７に突出させて、シャフト挿入路３７を部分的に遮断している。
【００３１】
かかる構成にあっては、固定具４の背面側からシャフト挿入路３７にシャフト７を挿入すると、図９（ａ）に示すように、シャフト挿入路３７の途中で、シャフト７の先端が係止端部４１に突き当たる。かかる状態から、さらにシャフト７を圧入すると、係止端部４１がシャフト７の先端に押圧されて内側正面方向に撓んで、係止端部４１がシャフト挿入路３７から押し退けられることにより、図９（ｂ）に示すように、シャフト７をシャフト挿入路３７の奥まで挿入可能となる。ここで、本実施例では、シャフト７の挿入方向（正面方向）と、係止端部４１の突出方向（外側正面方向）とが鋭角となっているため、シャフト７の先端で係止端部４１を比較的容易に撓ませることができる。
【００３２】
そして、図９（ｂ）に示すように、シャフト７をシャフト挿入路３７の奥まで挿入した状態では、シャフト７によって内側正面方向に撓んだ係止端部４１が、先端をシャフト７の外周面に弾接させることで、シャフト７がシャフト挿入路３７から引き抜き困難に係止される。ここで、本実施例では、係止端部４１の先端をシャフト７の外周面に弾接させることで、係止端部４１の先端がシャフト７に食い込むこととなり、また、シャフト７を引き抜く方向（背面方向）と、係止端部４１の突出方向（外側正面方向）とが鈍角となっているため、シャフト７を引き抜く力に対して係止端部４１が強く抵抗して、シャフト７を強固に係止する。なお、図９では、片側のシャフト挿入路３７にシャフト７を係止する態様を示しているが、固定具４は左右対称であり、他側のシャフト挿入路３７に関してもシャフト７は同様に係止される。
【００３３】
また、本実施例では、図５，８に示すように、固定具本体３０に、係止端部４１の直上位置に開口する解除用開口部５１が形成される。この解除用開口部５１は、マイナスドライバーなどの細長い工具を挿入可能な大きさをなしており、シャフト７をシャフト挿入路３７から引き抜く際に用いられる。具体的には、シャフト挿入路３７に係止されたシャフト７を引き抜く場合は、図１０（ａ）に示すように解除用開口部５１から可撓空隙５０にマイナスドライバー等の工具Ｊを挿入し、図１０（ｂ）に示すように、工具Ｊの先端で係止端部４１を内側正面方向に撓ませることにより、係止端部４１の先端をシャフト７の外周面から離間させる。かかる状態とすれば、シャフト７の係止を解除されるため、シャフト７をシャフト挿入路３７から容易に引き抜くことができる。
【００３４】
このように、かかる固定具４では、シャフト７の先端部をシャフト挿入路３７に圧入するだけで、シャフト７の先端部が固定具４に係止される。このため、本実施例では、シャフト７を連結端子台３やスペーサ５に貫通させた状態で、連結端子台３の両端部に固定具４，４を連結して、シャフト７の両端部を固定具４のシャフト挿入路３７に挿入するだけで、シャフト７の両端部が固定具４，４に係止されて、端子台６、スペーサ５及び固定具４が分離しないよう保持される。したがって、本実施例の集合端子台装置１は、ネジやナットを締結して端子台の連結を保持する従来構成に比べて、簡単な手順で端子台や固定具の連結状態を保持できるという利点がある。
【００３５】
また、本実施例に係る固定具４は、固定具本体３０と板バネ３１の二つの部品で構成されるものであるから、ネジ８でシャフト７を固定する従来構成（図１１参照）に比べて、固定具の部品点数が少なくて済む。また、本実施例では、ロングシャフトネジ９ａ（図１２参照）に比べて低廉な、断面円形の金属製シャフト７を使用している。このため、本実施例にあっては、従来構成に比べて簡易な構成によって、端子台や固定具の連結状態を保持できる。
【００３６】
また、本実施例では、係止端部４１の上方に開口する解除用開口部５１に工具Ｊを挿入して、係止端部４１をシャフト７から離間する方向に撓ませ得るよう構成されているため、比較的簡単な手順によって、シャフト７の係止を解除して、シャフト７をシャフト挿入路３７から引き抜くことができるという利点がある。
【００３７】
また、本実施例では、板バネ３１を、左右のシャフト挿入路３７，３７の間に保持して、一方の係止端部４１で一方のシャフト挿入路３７に挿入されるシャフト７を係止し、他方の係止端部４１で他方のシャフト挿入路３７に挿入されるシャフト７を係止しているため、連結端子台３にシャフト７を二本貫通させる場合であっても、固定具４の部品点数を増やさずに済むという利点がある。
【００３８】
また、本実施例では、シャフト挿入路３７に対して、係止端部４１を、シャフト７の挿入方向と鋭角となるように突出させているため、シャフト挿入路３７にシャフト７を挿入した時に、シャフト７の先端で連結端部４１を容易に撓ませることができるという利点がある。また、係止端部７の先端がシャフト７の外周面に食い込んだ時に、係止端部７の突出方向と、シャフト７を引き抜く方向とが鈍角となるため、シャフト７を引き抜く方向の力に対して、シャフト７を強固に係止できるという利点がある。
【００３９】
なお、本発明は、上記実施例の形態に限らず本発明の要旨を逸脱しない範囲内において種々変更を加えることができる。例えば、上記実施例の集合端子台装置１では、連結端子台３の左右両側をシャフト７が１本ずつ貫通しているが、本発明にあって、連結端子台３を貫通するシャフトの本数は、１本であってもよいし、３本以上であってもよい。また、上記実施例では、断面円形のシャフト７を使用しているが、本発明に係るシャフトは、円筒形状であってもよいし、断面多角形状であってもよい。また、上記実施例に係る連結端子台３は、ネジ式端子台６を連結してなるものであるが、本発明にあって、連結端子台を構成する端子台は、シャフトを貫通させる貫通孔を具備していれば足り、リード線の接続機構などのその他の構成は、実施例の構成に限らず公知の構成を広く採用できる。また、上記実施例では、連結端子台３が同一構成の端子台６により構成されているが、本発明に係る連結端子台は、大きさや構造の異なる端子台を相互連結してなるものであってもよい。また、上記実施例では、連結端子台３と固定具４の間にスペーサ５を介装しているが、スペーサを介さずに連結端子台と固定具を直接連結させてもよいし、端子台と端子台の間にスペーサを介装することも可能である。
【符号の説明】
【００４０】
１，１ａ，１ｂ  集合端子台装置
３，３ａ，３ｂ  連結端子台
４，４ａ，４ｂ  固定具
５  スペーサ
６，６ａ，６ｂ  端子台
７  シャフト
９ａ  ロングシャフトネジ
９ｂ  ナット
１０  絶縁性基板
１５  貫通孔
１６  シャフト挿通孔
２３  貫通孔
３０，３０ａ  固定具本体
３１  板バネ
３２  連結板部
３３  固定部
３５  凹凸部
３６  ネジ挿通孔
３７  シャフト挿入路
３８  突当て部
４０  保持板部
４１  係止端部
４３  板バネ挿入口
４５  保持溝
４６  保持突部
４７  嵌入孔
４８  突部
５０  可撓空隙
５１  解除用開口部
Ｊ  工具
【図１】
0006279995.tif 000002
【図２】
0006279995.tif 000003
【図３】
0006279995.tif 000004
【図４】
0006279995.tif 000005
【図５】
0006279995.tif 000006
【図６】
0006279995.tif 000007
【図７】
0006279995.tif 000008
【図８】
0006279995.tif 000009
【図９】
0006279995.tif 000010
【図１０】
0006279995.tif 000011
【図１１】
0006279995.tif 000012
【図１２】
0006279995.tif 000013